(57)【要約】      （修正有）【課題】シリーズハイブリッドモードとエンジン直結モードとの切換えをより良好に実行可能とする。【解決手段】内燃エンジンと、発電モータと、走行モータと、を備え、内燃エンジンと駆動輪とを接続する第１クラッチを有し、シリーズハイブリッドモードとエンジン直結モードとを切換可能に構成され、シリーズハイブリッドモードでは、第１クラッチを解放させ、エンジン直結モードでは、第１クラッチを締結させる電動車両において、エンジン直結モードからシリーズハイブリッドモードに切り換えるモード切換時に、内燃エンジンを動力源とする発電モータの発電を行わず、内燃エンジンと発電モータとが生じる合計トルクを減少させ、合計トルクが０Ｎｍに達するかまたは０Ｎｍに近い所定値以下となったときに、第１クラッチを解放させる。【選択図】図８
2020131880.tif 000002
【特許請求の範囲】
【請求項１】
車両の駆動輪に駆動力を伝達するハイブリッド駆動システムを備え、
前記ハイブリッド駆動システムが、
内燃エンジンと、
前記内燃エンジンの動力を受けて発電可能に配設された発電モータと、
前記発電モータが生じさせた電力により駆動可能に配設された走行モータと、
を備え、
前記内燃エンジンと前記駆動輪とを接続する第１クラッチを有し、前記走行モータを駆動源とするシリーズハイブリッドモードと、エンジン直結モードと、を切換可能に構成された電動車両の制御方法であって、
前記シリーズハイブリッドモードでは、前記第１クラッチを解放させ、
前記エンジン直結モードでは、前記第１クラッチを締結させ、
前記エンジン直結モードから前記シリーズハイブリッドモードに切り換えるモード切換時において、
前記内燃エンジンを動力源とする前記発電モータの発電を行わず、前記内燃エンジンと前記発電モータとが生じる合計トルクを減少させ、
前記合計トルクが０Ｎｍに達するかまたは０Ｎｍに近い所定値以下となったときに、前記第１クラッチを解放させる、
電動車両の制御方法。
【請求項２】
前記モード切換時において、前記内燃エンジンに対する燃料の供給を停止し、前記発電モータにより前記内燃エンジンのフリクション相当分のトルクを出力する、
請求項１に記載の電動車両の制御方法。
【請求項３】
前記モード切換時において、前記内燃エンジンのトルクを０Ｎｍとする運転に移行させ、前記発電モータが出力するトルクを０Ｎｍとする、
請求項１に記載の電動車両の制御方法。
【請求項４】
前記モード切換時において、前記内燃エンジンをアイドル運転に移行させ、前記合計トルクを０に近付ける、
請求項１に記載の電動車両の制御方法。
【請求項５】
アクセル開度の増大に起因する前記モード切換時において、
前記アクセル開度の変化量が所定量よりも大きい場合は、前記内燃エンジンに対する燃料の供給を停止して、前記合計トルクを減少させ、
前記アクセル開度の変化量が前記所定量よりも小さい場合は、前記内燃エンジンのトルクを０Ｎｍとする運転に移行させて、前記合計トルクを減少させる、
請求項１に記載の電動車両の制御方法。
【請求項６】
前記ハイブリッド駆動システムが、前記発電モータの発電が制限されるシステム状態にあるか否かを判定し、
前記モード切換時に、前記システム状態にあると判定した場合に、前記発電モータの発電を行わずに前記合計トルクを減少させる、
請求項１〜５のいずれか一項に記載の電動車両の制御方法。
【請求項７】
前記ハイブリッド駆動システムが、前記発電モータの発電が制限されるシステム状態にある場合は、前記発電モータの発電を行わずに前記合計トルクを減少させ、
前記ハイブリッド駆動システムが、前記システム状態にない場合は、前記内燃エンジンのトルクを相殺する回生トルクを前記発電モータにより出力して、前記合計トルクを減少させる、
請求項１〜５のいずれか一項に記載の電動車両の制御方法。
【請求項８】
前記ハイブリッド駆動システムが、前記発電モータが生じさせた電力を蓄電可能に配設されたバッテリをさらに備える、請求項６または７に記載の電動車両の制御方法であって、
前記システム状態にあるか否かを、前記バッテリの充電状態をもとに判定する、
電動車両の制御方法。
【請求項９】
内燃エンジンと、
前記内燃エンジンの動力を受けて発電可能に配設された発電モータと、
前記発電モータが生じさせた電力により駆動可能に配設された走行モータと、
前記内燃エンジンと前記駆動輪とをつなぐ第１動力伝達経路に介装された第１クラッチと、
コントローラと、
を備え、
前記コントローラは、
前記走行モータが前記駆動輪に伝達させる動力により走行するシリーズハイブリッドモードでは、前記第１クラッチを解放させ、
前記内燃エンジンおよび前記発電モータのうち、少なくとも一方を駆動源として、当該駆動源が前記第１動力伝達経路を通じて前記駆動輪に伝達させる動力により走行するエンジン直結モードでは、前記第１クラッチを締結させ、
前記エンジン直結モードから前記シリーズハイブリッドモードに切り換えるモード切換時において、
前記内燃エンジンを動力源とする前記発電モータの発電を行わず、前記内燃エンジンと前記発電モータとが生じる合計トルクを減少させ、
前記合計トルクが０Ｎｍに達するかまたは０Ｎｍに近い所定値以下となったときに、前記第１クラッチを解放させる、
電動車両の駆動システム。
【発明の詳細な説明】
【技術分野】
【０００１】
本発明は、シリーズハイブリッドモードとエンジン直結モードとを切り換えて走行可能に構成された電動車両の制御方法および駆動システムに関する。
【背景技術】
【０００２】
内燃エンジンの動力により発電機を駆動し、この発電機が生じさせた電力により走行用の電気モータ（以下「走行モータ」という）を作動させるように構成されたシリーズハイブリッド型の駆動システムが知られている。特許文献１には、そのような駆動システムとして、内燃エンジンと駆動輪とをクラッチを介して接続し、内燃エンジンの動力を駆動輪に対して走行モータを介さずに伝達可能に構成されたものが開示されている。
【０００３】
特許文献１には、さらに、エンジン直結モードから走行モータを駆動源とするシリーズハイブリッドモードに切り換える際の制御として、切換前におけるエンジンの出力を維持する一方、このエンジンの出力のうち、駆動輪への機械伝達に消費される分の、発電機の駆動に消費される電気伝達分の割合を増大させていき、機械伝達分が０に達して、発電機の出力がエンジンの出力に等しくなった時点で、クラッチを解放させることが開示されている。
【先行技術文献】
【特許文献】
【０００４】
【特許文献１】国際公開第２０１１／０７４４８３号（図１、段落００３７および００３８）
【発明の概要】
【発明が解決しようとする課題】
【０００５】
しかし、特許文献１に記載の技術によると、トルクの架替中にエンジンの出力が維持されること自体が問題となる場合がある。例えば、シリーズハイブリッドモードへの移行後、エンジンを駆動せずに走行モータのみを駆動して走行する、いわゆるＥＶ走行を実施したいのにも拘らず、トルクの架替えが完了した時点では未だエンジンが出力を保っていることから、ＥＶ走行への移行が充分な円滑さをもって行われないことである。
【０００６】
さらに、発電機による発電が制限される条件のもとでは、エンジンの出力のうちで電気伝達分が占める割合を増大させることができず、エンジン直結モードからシリーズハイブリッドモードへの切換えができなくなる場合があることである。発電機による発電が制限される条件として、発電機がシステムの要求出力に対して余剰となる電力を生じさせているものの、バッテリが既に高い充電状態にあり、その余剰分の電力をバッテリの充電に充てることのできない場合を例示することができる。バッテリの過充電を回避するため、発電機による発電が制限される。
【０００７】
以上の問題を考慮し、本発明は、シリーズハイブリッドモードとエンジン直結モードとの切換えをより良好に実行可能とする電動車両の制御方法および電動車両の駆動システムを提供することを目的とする。
【課題を解決するための手段】
【０００８】
本発明の一形態では、車両の駆動輪に駆動力を伝達するハイブリッド駆動システムを備え、ハイブリッド駆動システムが、内燃エンジンと、内燃エンジンの動力を受けて発電可能に配設された発電モータと、発電モータが生じさせた電力により駆動可能に配設された走行モータと、を備え、内燃エンジンと駆動輪とを接続する第１クラッチを有し、走行モータを駆動源とするシリーズハイブリッドモードと、エンジン直結モードと、を切換可能に構成された電動車両の制御方法が提供される。シリーズハイブリッドモードでは、第１クラッチを解放させ、エンジン直結モードでは、第１クラッチを締結させる。本形態では、エンジン直結モードからシリーズハイブリッドモードに切り換えるモード切換時において、内燃エンジンを動力源とする発電モータの発電を行わず、内燃エンジンと発電モータとが生じる合計トルクを減少させ、合計トルクが０Ｎｍに達するかまたは０Ｎｍに近い所定値以下となったときに、第１クラッチを解放させる。
【０００９】
他の形態では、電動車両の駆動システムが提供される。
【発明の効果】
【００１０】
本発明によれば、エンジン直結モードからシリーズハイブリッドモードへのモード切換時に、内燃エンジンと走行モータとの間でのトルクの架替えを、発電モータの発電を行わずに、換言すれば、発電モータにより回生トルクを生じさせずに達成することが可能となる。よって、トルクの架替えを行う方法の選択肢の幅が広がり、状況に応じた適切な架替えを実現可能とするとともに、発電の可否に関わる条件によらずにエンジン直結モードからシリーズハイブリッドモードへの切換えを行うことができるので、走行モードの切換えを良好に実行することが可能となる。
【図面の簡単な説明】
【００１１】
【図１】図１は、本発明の一実施形態に係る電動車両の駆動システムの全体的な構成を示す概略図である。
【図２】図２は、同上実施形態に係る駆動システムの、シリーズハイブリッドモードでの動作を示す説明図である。
【図３】図３は、同上実施形態に係る駆動システムの、エンジン直結モードでの動作を示す説明図である。
【図４】図４は、同上実施形態に係る駆動システムの、運転領域に応じた走行モードを示す説明図である。
【図５】図５は、同上実施形態に係るモード切換判定の流れを示すフローチャートである。
【図６】図６は、同上実施形態に係るモード切換制御の全体的な流れを示すフローチャートである。
【図７】図７は、同上実施形態に係るモード切換制御の、トルク架替フェーズにおける処理（Ａ）の内容を示すフローチャートである。
【図８】図８は、エンジン直結モードからシリーズハイブリッドモードへのモード切換時における、本発明の一実施形態に係る駆動システムの動作を示す説明図である。
【図９】図９は、エンジン直結モードからシリーズハイブリッドモードへのモード切換時における、比較例による動作を示す説明図である。
【図１０】図１０は、エンジン直結モードからシリーズハイブリッドモードへのモード切換時における、本発明の一実施形態に係る駆動システムの変形例による動作を示す説明図である。
【図１１】図１１は、本発明の他の実施形態に係るモード切換制御の、トルク架替フェーズにおける処理の内容を示すフローチャートである。
【図１２】図１２は、本発明の更に別の実施形態に係るモード切換判定の流れを示すフローチャートである。
【図１３】図１３は、システム状態に応じた走行モードの切換え（エンジン直結許可マップ、エンジン直結禁止マップ）を示す説明図である。
【発明を実施するための形態】
【００１２】
以下、図面を参照して、本発明の実施形態について説明する。
【００１３】
（駆動システムの全体構成）
図１は、本発明の一実施形態に係る電動車両のハイブリッド駆動システム（以下「駆動システム」といい、単に「システム」という場合もある）Ｓの全体的な構成を示している。
【００１４】
本実施形態に係る駆動システムＳは、電動車両に搭載されて、当該車両の推進装置を構成する。駆動システムＳは、内燃エンジン（以下、単に「エンジン」という）１と、発電用の電気モータ（以下「発電モータ」という）２と、走行用の電気モータ（以下「走行モータ」という）３と、を備える。ここでいう「発電用」または「走行用」とは、駆動システムＳにおけるその主な役割をいうものに過ぎず、発電モータ２に駆動力形成の一部を負わせたり、走行モータ３に制動力回生の一部を負わせたりしてもよいことは、勿論である。
【００１５】
エンジン１は、その出力軸ないしクランク軸１１が、複数のギアからなるギア列Ｇａを介して発電モータ２の回転軸２１に接続されている。エンジン１のトルクがこのギア列Ｇａを通じて所定のギア比で発電モータ２に伝達され、発電モータ２を作動させる。本実施形態において、エンジン１と発電モータ２とのギア列Ｇａを介する接続は、永続的なものであり、遮断不能である。
【００１６】
発電モータ２は、走行モータ３に対して電気的に接続されるとともに、バッテリ４に接続されており、エンジン１から動力の供給を受けて生じさせた電力を、走行モータ３またはバッテリ４に供給する。発電モータ２から走行モータ３への電力の供給と、発電モータ２からバッテリ４への電力の供給とは、車両の運転状態およびバッテリ４の充電状態等に応じて実行することが可能である。図１は、発電モータ２、走行モータ３およびバッテリ４の間の電気的な接続を、二点鎖線により模式的に示している。
【００１７】
走行モータ３は、バッテリ４に対して電気的に接続されるとともに、その回転軸３１が、複数のギアからなるギア列Ｇｂを介してディファレンシャル５のリングギアに接続されている。走行モータ３のトルクがこのギア列Ｇｂを通じて所定のギア比でディファレンシャル５に伝達され、さらに、ディファレンシャル５を介して左右の駆動軸６、６に分配されて、駆動輪７を回転させ、車両を推進させる。本実施形態において、走行モータ３は、発電機としてだけでなく、電動機としても動作可能なモータジェネレータにより構成され、車両を推進させるほか、駆動輪７からギア列Ｇｂを介して動力の供給を受け、発電することも可能である。走行モータ３が生じさせた電力をバッテリ４に供給し、バッテリ４の充電に充てることが可能である。
【００１８】
さらに、本実施形態において、エンジン１は、出力軸１１が、複数のギアからなるギア列Ｇｃを介してディファレンシャル５のリングギアに接続されている。エンジン１のトルクがこのギア列Ｇｃを通じて所定のギア比でディファレンシャル５に伝達され、ディファレンシャル５を介して左右の駆動軸６、６に分配されることで、駆動輪７が回転され、車両が推進される。
【００１９】
本実施形態では、ギア列Ｇｃとギア列Ｇｂとのそれぞれにクラッチｃ１、ｃ２が介装され、エンジン１と駆動輪７とのギア列Ｇｃを介する接続と、走行モータ３と駆動輪７とのギア列Ｇｂを介する接続とが、クラッチｃ１、ｃ２により夫々遮断可能に構成されている。クラッチｃ１、ｃ２は、いずれも噛合式のクラッチであってよく、クラッチｃ１、ｃ２に適用可能なものとして、ドッグクラッチを例示することができる。本実施形態では、クラッチｃ１、ｃ２として、いずれもドッククラッチを採用する。
【００２０】
ギア列Ｇｃに設けられるクラッチ（以下「エンジン側クラッチ」という場合がある）ｃ１では、一方のクラッチ要素または噛合要素がエンジン１の出力軸１１に対して相対回転不能に、この出力軸１１上をスライド可能に構成され、これが出力軸１１と同軸に配設されたギアに設けられた他方のクラッチ要素または噛合要素と係合することで、ギア列Ｇｃを介する動力の伝達を可能とする。
【００２１】
同様に、ギア列Ｇｂに設けられるクラッチ（以下「モータ側クラッチ」という場合がある）ｃ２では、一方のクラッチ要素または噛合要素が走行モータ３の回転軸３１に対して相対回転不能に、この回転軸３１上をスライド可能に構成され、これが回転軸３１と同軸に配設されたギアに設けられた他方のクラッチ要素または噛合要素と係合することで、ギア列Ｇｂを介する動力の伝達を可能とする。
【００２２】
エンジン１側のギア列Ｇｃに設けられるクラッチ、つまり、エンジン側クラッチｃ１は、本実施形態に係る「第１クラッチ」を構成し、走行モータ３側のギア列Ｇｂに設けられるクラッチ、つまり、モータ側クラッチｃ２は、本実施形態に係る「第２クラッチ」を構成する。
【００２３】
エンジン１、発電モータ２、走行モータ３の動作およびクラッチｃ１、ｃ２の状態は、コントローラ１０１により電子的に制御される。これに限定されるものではないが、コントローラ１０１は、電子制御ユニットとして、中央演算ユニット（ＣＰＵ）、ＲＯＭおよびＲＡＭ等の各種記憶ユニット、入出力インターフェース等を備えるマイクロコンピュータにより構成される。
【００２４】
（制御システムの基本構成）
コントローラ１０１へは、車両の運転状態を示す各種パラメータの情報が入力される。
【００２５】
本実施形態では、運転者によるアクセルペダルの操作量（以下「アクセル開度」という）ＡＰＯを示す信号、車両の走行速度（以下「車速」という）ＶＳＰを示す信号、エンジン１の回転速度Ｎｅｎｇを示す信号、発電モータ２の回転速度Ｎｍｇ１を示す信号、走行モータ３の回転速度Ｎｍｇ２を示す信号が、コントローラ１０１に入力される。そして、各種パラメータの検出のため、アクセル開度ＡＰＯを検出するアクセル開度センサ２０１、車速ＶＳＰを検出する車速センサ２０２、エンジン１の回転速度Ｎｅｎｇを単位時間当たりの回転数（以下「エンジン回転数」という）として検出するエンジン回転数センサ２０３、発電モータ２の回転速度Ｎｍｇ１を発電モータ回転数として検出する発電モータ回転数センサ２０４、走行モータ３の回転速度Ｎｍｇ２を走行モータ回転数として検出する走行モータ回転数センサ２０５が設けられる。
【００２６】
コントローラ１０１は、入力した各種信号に基づき、所定の演算を実行して、エンジン１、発電モータ２および走行モータ３の動作を制御するほか、クラッチｃ１、ｃ２の状態を制御する。
【００２７】
（駆動システムの基本動作）
本実施形態では、実際の走行に際し、シリーズハイブリッドモードとエンジン直結モードとで走行モードを切り換えることが可能である。シリーズハイブリッドモードでは、走行モータ３が車両の駆動源とされ、エンジン直結モードでは、基本的には、エンジン１が車両の駆動源とされる。
【００２８】
図２および３は、駆動システムＳの走行モードに応じた動作を示し、図２は、シリーズハイブリッドモードによる場合の動作を、図３は、エンジン直結モードによる場合の動作を、夫々示している。図２および３は、動力が伝達される経路を、矢印付きの太い点線により示しており、矢印は、動力が伝達される方向を示している。
【００２９】
シリーズハイブリッドモードでは、図２に示すように、クラッチｃ１を解放させる一方、クラッチｃ２を締結させ、エンジン１のトルクを、ギア列Ｇａを通じて発電モータ２に伝達可能とするとともに、走行モータ３のトルクを、ギア列Ｇｂを通じてディファレンシャル５および駆動輪７に伝達可能とする。
【００３０】
他方で、エンジン直結モードでは、図３に示すように、クラッチｃ１を締結させる一方、クラッチｃ２を解放させ、エンジン１のトルクを、ギア列Ｇｃを通じてディファレンシャル５および駆動輪７に伝達可能とする。発電モータ２が発電機ばかりでなく、電動機の機能をも兼ね備える場合に、発電モータ２によりトルクを生じさせ、これをギア列Ｇａ、Ｇｃを通じて駆動輪７に伝達させることも可能である。
【００３１】
本実施形態では、エンジン直結モードにおいて、走行モータ３と駆動輪７とをつなぐ動力伝達経路上のクラッチｃ２を解放させることで、走行モータ３と駆動輪７との間における動力の伝達を遮断し、駆動輪７の回転に伴って走行モータ３が連れ回されるのを回避する。しかし、クラッチｃ２は、解放させるばかりでなく、締結させてもよい。これにより、エンジン１のトルクに加え、走行モータ３のトルクをも駆動輪７に伝達させることが可能となる。エンジン直結モードによる場合に、クラッチｃ２を、状況に応じて締結させたり、解放させたりしてもよい。
【００３２】
（モード切換えに係る制御）
シリーズハイブリッドモードとエンジン直結モードとの切換えは、コントローラ１０１からの信号に基づき、クラッチｃ１、ｃ２の締結および解放の状態を切り換えることにより実行される。
【００３３】
図４は、車両の運転領域に応じた走行モードを示している。
【００３４】
本実施形態では、運転領域毎の走行モードを定めたモード選択マップを予め作成し、これをコントローラ１０１に記憶させる。大まかには、高速域でエンジン直結モードが選択され、それ以外の領域でシリーズハイブリッドモードが選択される。本実施形態では、高速域のうち、特に負荷が比較的低い領域Ｂでエンジン直結モードが、それ以外の領域Ａでシリーズハイブリッドモードが、夫々選択される。コントローラ１０１は、車速ＶＳＰおよびアクセル開度ＡＰＯによりモード選択マップを参照して、車両の運転状態が属する運転領域Ａ、Ｂを判定し、その判定結果に応じて走行モードを切り換える。
【００３５】
走行モードの切換えに係る制御（以下「モード切換制御」という）について、以下に説明する。フローチャートを参照してその全体的な流れを説明した後、タイムチャートを参照してより具体的に説明する。
【００３６】
図５は、モード切換制御を実行するか否かを判定する処理（以下「モード切換判定」という）の流れを示し、図６は、エンジン直結モードからシリーズハイブリッドモードへの切換時におけるモード切換制御の全体的な流れを示している。図７は、モード切換制御のうち、トルク架替フェーズにおける処理（Ａ）の内容を示している。本実施形態において、コントローラ１０１は、モード切換判定を所定の周期で実行し、モード切換時にある場合に、モード切換制御を実行するようにプログラムされている。
【００３７】
図５に示すフローチャートにおいて、Ｓ１０１では、車両の運転状態を読み込む。具体的には、モード切換制御に係る運転状態として、アクセル開度ＡＰＯ、車速ＶＳＰ、エンジン回転数Ｎｅｎｇ、発電モータ回転数Ｎｍｇ１および走行モータ回転数Ｎｍｇ２を読み込む。
【００３８】
Ｓ１０２では、モード切換時にあるか否かを判定する。具体的には、アクセル開度ＡＰＯおよび車速ＶＳＰにより定められる車両の運転状態が、図４に示す運転領域Ａ、Ｂのうち、シリーズハイブリッドモードによる領域Ａからエンジン直結モードによる領域Ｂへ移行したかまたはその反対に領域Ｂから領域Ａへ移行したかを判定する。運転領域Ａ、Ｂの間で運転状態の移行が生じ、モード切換時にある場合は、Ｓ１０３へ進み、モード切換時にない場合は、今回のルーチンによる制御を終了する。
【００３９】
Ｓ１０３では、モード切換制御を実行する。
【００４０】
図６に示すフローチャートに移り、Ｓ２０１では、走行モードの切換えがエンジン直結モードからシリーズハイブリッドモードへの切換えであるか否か、換言すれば、運転領域の移行が領域Ｂから領域Ａへの移行であるか否かを判定する。シリーズハイブリッドモードへの切換えである場合は、Ｓ２０２へ進み、シリーズハイブリッドモードへの切換えでなく、シリーズハイブリッドモードからエンジン直結モードへの切換えである場合は、今回のルーチンによる制御を終了する。図４は、エンジン直結モードによる領域Ｂからシリーズハイブリッドモードによる領域Ａへ運転状態が移行する様子を、矢印ａ１〜ａ４により示している。
【００４１】
Ｓ２０２では、締結側のクラッチに対し、その駆動要素と従動要素との回転速度を一致させる制御（以下「回転同期制御」という）を開始する。ここで、締結側のクラッチとは、モード切換後に締結されるクラッチをいい、エンジン直結モードからシリーズハイブリッドモードへの切換えでは、ギア列Ｇｂに設けられるクラッチ（つまり、モータ側クラッチ）ｃ２が該当する。そして、この場合の回転同期制御として、走行モータ３によりトルクを生じさせ、走行モータ回転数Ｎｍｇ２を上昇させる。
【００４２】
Ｓ２０３では、回転同期が完了したか否かを判定する。この判定は、例えば、クラッチｃ２の駆動要素と従動要素との回転速度の差が所定値にまで減少したか否かにより行い、所定値にまで減少したこともって回転同期が完了したものと判定する。回転同期が完了した場合は、Ｓ２０４へ進み、完了していない場合は、Ｓ２０３の判定を繰り返す。
【００４３】
Ｓ２０４では、締結側のクラッチであるモータ側クラッチｃ２を締結させる指令を出力する。クラッチｃ１、ｃ２が、アクチュエータ（例えば、サーボ型の電気モータ）の動作を、カムおよびレバー等からなるリンク機構を介して駆動要素または従動要素の移動に変換するものである場合に、このアクチュエータに対し、クラッチを締結させる方向に動作させる指令を出力する。
【００４４】
Ｓ２０５では、クラッチｃ２の締結が完了したか否かを判定する。この判定は、例えば、クラッチｃ１、ｃ２のアクチュエータ（具体的には、その可動部）が、締結時の目標とする位置に到達したか否かにより行うことが可能である。クラッチｃ２の締結が完了した場合は、トルク架替フェーズの処理を実行するため、図７に示すフローチャートのＳ３０１へ進み、完了していない場合は、Ｓ２０５の判定を繰り返す。
【００４５】
Ｓ２０６では、走行モードの切換えが完了したと判定し、その後、今回のルーチンによる制御を終了する。
【００４６】
図７に示すフローチャートに移り、Ｓ３０１では、モード切換前の駆動源とモード切換後の駆動源とに対し、これらの駆動源の間でトルクを架け替える制御を開始する。本実施形態では、エンジン直結モードからシリーズハイブリッドモードへの切換えに際し、エンジン１を動力源とする発電モータ２の発電を行わず、エンジン１と発電モータ２とが生じる合計トルクを０Ｎｍに向けて減少させる。「発電モータ２の発電を行わない」とは、換言すれば、発電モータ２により回生トルクを生じさせないことをいい、発電モータ２に力行を行わせる場合のほか、発電モータ２の発電および力行のいずれも行わない場合を含む。発電モータ２に力行を行わせる場合は、バッテリ２が放電を行う。具体的には、モード切換前にエンジン１のみにより駆動力を生じさせていた場合は、発電モータ２のトルクを０Ｎｍに維持したまま、エンジン１のトルクを減少させ、これに応じて走行モータ３のトルクを増大させる。さらに、モード切換前にエンジン１に加えて発電モータ２によってもトルクを生じさせていた場合は、エンジン１と発電モータ２とが生じる合計トルクを減少させるとともに、これに応じて走行モータ３のトルクを増大させる。合計トルクを減少させるため、エンジン１のトルクと発電モータ２のトルクとを０Ｎｍに向けて同時に減少させることが可能である。
【００４７】
Ｓ３０２では、トルクの架替えが完了したか否かを判定する。例えば、エンジン１と発電モータ２とが生じる合計トルクが０Ｎｍに達したか否かを判定し、０Ｎｍに達した場合に、トルクの架替えが完了したと判定する。トルクの架替えが完了した場合は、Ｓ３０３へ進み、完了していない場合は、Ｓ３０２の判定を繰り返す。トルクの架替えが完了したか否かの判定は、これに限定されるものではなく、合計トルクが０Ｎｍに近い所定値（ただし、０Ｎｍよりも大きい）以下となったか否かを判定することによることも可能である。合計トルクがこの所定値以下となった場合に、トルクの架替えが完了したと判定する。
【００４８】
Ｓ３０３では、解放側のクラッチを解放させる指令を出力する。例えば、クラッチｃ１、ｃ２のアクチュエータに対し、クラッチを解放させる方向に動作させる指令を出力する。ここで、解放側のクラッチとは、モード切換後に解放されるクラッチをいい、エンジン直結モードからシリーズハイブリッドモードへの切換えでは、ギア列Ｇｃに設けられるクラッチ（つまり、エンジン側クラッチ）ｃ１が該当する。
【００４９】
Ｓ３０４では、クラッチｃ１の解放が完了したか否かを判定する。この判定は、例えば、クラッチｃ１、ｃ２のアクチュエータ（具体的には、その可動部）が、解放時の目標とする位置に到達したか否かにより行うことが可能である。クラッチｃ１の解放が完了した場合は、図６に示すフローチャートに戻り、完了していない場合は、Ｓ３０４の判定を繰り返す。
【００５０】
本実施形態では、トルクの架替えが完了し、エンジン側クラッチｃ１の入力軸にかかるトルク（つまり、軸上トルク）が０Ｎｍまたは０Ｎｍに近い所定値に達した時点でクラッチｃ１に対する解放指令を出力することとした。しかし、トルクの架替えが完了する前、換言すれば、エンジン側クラッチｃ１の軸上トルクが０Ｎｍまたは所定値に達する前に、予め解放指令を出力し、軸上トルクが０Ｎｍまたは所定値に達した時点でクラッチｃ１の解放が実行されるように構成することも可能である。このような機構は、クラッチｃ１としてドッグクラッチを採用する場合に、例えば、ドッグクラッチのクラッチ要素の間に、それらを互いに離間させる方向に付勢する手段（例えば、バネ）を介在させることで具現可能である。
【００５１】
タイムチャートによる説明に移る。図８は、本実施形態に係るモード切換制御による、エンジン直結モードからシリーズハイブリッドモードへの切換時における駆動ユニットＳの動作を示している。図８（後に述べる図９および１０についても同様である）は、回転速度ＮおよびトルクＴｒｑのうち、エンジン１のものを実線により、発電モータ２のものを二点鎖線により、走行モータ３のものを点線により、夫々示している。
【００５２】
図８に示すタイムチャートにおいて、エンジン直結モードからシリーズハイブリッドモードへの切換時にあるとの判定後（時刻ｔ１１）、モータ側クラッチｃ２に対する回転同期制御を開始し（回転同期フェーズＰｓｙｎ）、走行モータ３によりトルクＴｒｑｍｇ２を生じさせて、走行モータ回転数Ｎｍｇ２を上昇させ、これを駆動軸６の回転速度相当の出力回転数Ｎｏｕｔに近付ける。出力回転数Ｎｏｕｔと走行モータ回転数Ｎｍｇ２との差ΔＮ（＝Ｎｏｕｔ−Ｎｍｇ２）が所定値にまで減少した場合は（時刻ｔ２１）、回転同期が完了したとして、クラッチ締結フェーズＰｅｇｍに移行し、モータ側クラッチｃ２を締結させる。クラッチ締結フェーズＰｅｇｍでは、走行モータ３のトルクＴｒｑｍｇ２を０にまで減少させる。モータ側クラッチｃ２の締結が完了すると（時刻ｔ３１）、トルク架替フェーズＰｓｗｔに移行し、エンジン側クラッチｃ１を通じて駆動輪７に伝達されるトルクを減少させる一方、これに応じてモータ側クラッチｃ２を通じて駆動輪７に伝達されるトルクを増大させる。具体的には、エンジン１と発電モータ２とが生じる合計トルク（＝Ｔｒｑｅｎｇ＋Ｔｒｑｍｇ１）を所定の減少率ΔＴｄｅｃで減少させながら、走行モータ３のトルクＴｒｑｍｇ２を減少率ΔＴｄｅｃに応じた所定の増大率ΔＴｉｎｃで増大させる。本実施形態では、エンジン１のトルクＴｒｑｅｎｇと発電モータ２のトルクＴｒｑｍｇ１とをいずれも０に向けて同時に減少させる。そして、合計トルクが０に達した後、エンジン１をそのトルクＴｒｑｅｎｇが０Ｎｍである運転（以下「０Ｎｍ運転」という）に移行させるとともに、発電モータ２が出力するトルクＴｒｑｍｇ１を０Ｎｍとする。本実施形態では、合計トルクの減少率ΔＴｄｅｃとモータトルクＴｒｑｍｇ２の増大率ΔＴｉｎｃとを、互いに等しい値に設定する。そして、合計トルクが０に達したことをもってトルクの架替えが完了したものと判定し（時刻ｔ４１）、エンジン側クラッチｃ１を解放させる指令を出力し、エンジン側クラッチｃ１の解放を待ってモード切換制御を終了する（時刻ｔ５１）。
【００５３】
本実施形態では、合計トルクが０Ｎｍに達した後、エンジン１を０Ｎｍ運転に移行させるとともに、発電モータ２が出力するトルクＴｒｑｍｇ１を０Ｎｍとして、エンジン側クラッチｃ１の解放後、エンジン１および発電モータ２の回転を停止させることとしたが（Ｎｅｎｇ＝０、Ｎｍｇ１＝０）、これに限らず、合計トルクが０Ｎｍに達した後、エンジン１をアイドル運転に移行させ、エンジン側クラッチｃ１の解放後もエンジン１および発電モータ２が夫々アイドリング相当の回転数を維持するようにしてもよい。
【００５４】
図９は、エンジン直結モードからシリーズハイブリッドモードへの切換時における比較例による動作を示している。比較例では、モータ側クラッチｃ２の締結後、トルク架替フェーズＰｓｗｔに移行した場合に、エンジン１のトルクＴｒｑｅｎｇをモード切換前のトルクに維持する一方、発電モータ２により回生トルクＴｒｑｍｇ１（＜０）を生じさせることで、合計トルクを０に近付ける。回生トルクの絶対値（＝｜Ｔｒｑｍｇ１｜）がエンジントルクＴｒｑｅｎｇと等しくなったことをもってトルクの架替えが完了したものとし（時刻ｔ４１）、エンジン側クラッチｃ１の解放を開始させる。エンジン側クラッチｃ１のトルク容量が減少すると、エンジン回転数Ｎｅｎｇの増大に伴ってエンジントルクＴｒｑｅｎｇが減少し、発電モータ２の回生トルクＴｒｑｍｇ１も減少する（時刻ｔ５１）。
【００５５】
（作用効果の説明）
本実施形態に係る電動車両の駆動システムＳは、以上のように構成され、本実施形態により得られる効果について、以下に説明する。
【００５６】
第１に、エンジン直結モードからシリーズハイブリッドモードへのモード切換時に、エンジン１と走行モータ３との間でのトルクの架替えを、エンジン１を動力源とする発電モータ２の発電を行わずに、換言すれば、発電モータ２により回生トルクを生じさせずに達成することが可能となる。よって、単にトルクの架替えを行う方法の選択肢の幅が広がるばかりでなく、状況に応じた適切な架替えが実現可能となり、例えば、シリーズハイブリッドモードへの移行後、ＥＶ走行を実施したい場合に、トルクの架替えが完了するまでに（図８に示す時刻ｔ５１）エンジン１の出力を消失させることができるので、ＥＶ走行への移行を円滑に達成することが可能となる。
【００５７】
さらに、エンジン直結モードからシリーズハイブリッドモードへの切換えを、発電の可否に関わる条件によらずに行うことが可能となる。発電モータ２に発電を行わせ、回生トルクを生じさせる方法（図９）による場合は、これにより生じた電力をバッテリ４の充電に充てることになるが、バッテリ４が既に高い充電状態にあり、電力をバッテリ４の充電に充てることのできない場合は、無理に発電を行わせると、バッテリ４の過充電の原因となり得るからである。本実施形態によれば、このような状況にあってもエンジン直結モードからシリーズハイブリッドモードへの切換えを実行することができる。
【００５８】
第２に、モード切換時に、エンジン１を０Ｎｍ運転に移行させ、これに併せて発電モータが出力するトルクを０Ｎｍとすることで、エンジン側クラッチｃ１の解放に際して生じるショックを抑えた、滑らかな切換えを実現することが可能となる。
【００５９】
第３に、モード切換時に、エンジン１をアイドル運転に移行させることで、エンジン側クラッチｃ１を解放させる際のエンジントルクＴｒｑｅｎｇのばらつきを抑制し、ショックの少ない、滑らかな切換えを実現することが可能となる。
【００６０】
（変形例の説明）
以上の説明では、トルクの架替えに際し、エンジン１および発電モータ２が生じるトルクＴｒｑｅｎｇ、Ｔｒｑｍｇ１を夫々０Ｎｍに向けて徐々に減少させることで、合計トルクを減少させることとした。エンジントルクＴｒｑｅｎｇの減少は、例えば、ストッロル弁の制御により、エンジン１の吸入空気量を減少させることにより可能である。トルクの架替えは、これに限らず、エンジン１に対する燃料の供給を停止するとともに、発電モータ２により、エンジン１のフリクション相当分のトルクを出力することによっても可能である。
【００６１】
図１０は、その場合の駆動システムＳの動作として、エンジン直結モードからシリーズハイブリッドモードへのモード切換時における、本実施形態に係る駆動システムＳの変形例による動作を示している。
【００６２】
変形例では、モータ側クラッチｃ２の締結後、トルク架替フェーズＰｓｗｔに移行した場合に、エンジン１に対する燃料の供給を、いわゆるフューエルカットにより停止する一方、発電モータ２のトルクＴｒｑｍｇ１を、モード切換前のトルクから減少させるものの、エンジン１のフリクショントルクＴｒｑｅｎｇ（＜０）を打ち消すことができる分だけ維持する（時刻４１）。そして、フューエルカットの実行をもってトルクの架替えが完了したものとし（時刻ｔ４１）、エンジン側クラッチｃ１の解放を開始させる。トルク容量の減少により、エンジン側クラッチｃ１を介して駆動輪７から伝達されるトルクが消失すると、エンジン１および発電モータ２の回転がいずれも停止する。
【００６３】
このように、エンジン直結モードからシリーズハイブリッドモードへのモード切換時に、エンジン１に対する燃料の供給を停止することで、エンジン１と発電モータ２とが生じる合計トルクを速やかに減少させ、トルクの架替えを短い時間（トルク架替フェーズＰｓｗｔ）のうちに完了することができる（時刻ｔ４１）。ここで、エンジン１のフリクショントルクは、エンジン１の回転速度とそのときのスロットル開度とに応じてほぼ定まる特性にあり、発電モータ２によりエンジン１のフリクション相当分のトルクを正確に出力することが可能であることから、合計トルクを０Ｎｍに近付け、エンジン側クラッチｃ１の解放に際して生じるショックを抑制することができる。
【００６４】
（他の実施形態の説明）
トルクの架替えに際し、エンジン１を０Ｎｍ運転に移行させることによる架替え（図８）と、エンジン１に対する燃料の供給を停止することによる架替え（図１０）とを、状況に応じて切り換えるようにしてもよい。この場合の状況として、走行モードの切換えを急ぐ状況にあること、具体的には、走行モードの切換えが運転者によるアクセル操作に起因するものであることを例示することができる。
【００６５】
図１１は、本発明の他の実施形態に係るモード切換制御の、トルク架替フェーズにおける処理の内容を示している。
【００６６】
図１１に示すフローチャートにおいて、Ｓ４０１では、アクセル開度ＡＰＯを読み込む。
【００６７】
Ｓ４０２では、アクセル開度ＡＰＯの単位時間当たりの変化量ΔＡＰＯを算出し、この変化量ΔＡＰＯが所定量ΔＡＰＯ１よりも大きいか否かを判定する。変化量ΔＡＰＯが所定量ΔＡＰＯ１よりも大きい場合は、Ｓ４０３へ進み、所定量ΔＡＰＯ１よりも小さい場合は、Ｓ４０４へ進む。
【００６８】
Ｓ４０３では、エンジン１に対する燃料の供給を停止することによるトルクの架替えを選択する。
【００６９】
Ｓ４０４では、エンジン１を０Ｎｍ運転に移行させることによるトルクの架替えを選択する。
【００７０】
Ｓ４０５〜４０７では、図７に示すフローチャートのＳ３０２〜３０４で行われるのと同様の処理がなされる。
【００７１】
本実施形態によれば、アクセル操作が大きいとき、つまり、アクセル開度ＡＰＯの変化量ΔＡＰＯが所定量ΔＡＰＯ１よりも大きいときは、エンジン１に対する燃料の供給を停止することにより合計トルクを速やかに減少させて、短い時間のうちに切換えを完了する一方、アクセル操作が小さいとき、つまり、アクセル開度ＡＰＯの変化量ΔＡＰＯが所定量ΔＡＰＯ１よりも小さいときは、エンジン１を０Ｎｍ運転に移行させることで、ショックを抑えた、滑らかな切換えを実現することが可能となる。
【００７２】
このように、本実施形態によれば、トルクの架替えないし走行モードの切換えを、状況に応じた適切な方法により達成することが可能となる。
【００７３】
図１２は、本発明の更に別の実施形態に係るモード切換判定の流れを示している。コントローラ１０１は、本実施形態に係るモード切換判定を所定の周期で実行する。
【００７４】
本実施形態では、運転領域毎の走行モードを定める際に参照するモード選択マップを、条件に応じて切り換える。具体的には、発電の可否に関わる条件に応じ、発電モータ２の発電が制限される状態に駆動システムＳがない場合に選択される、図１３（Ａ）に示すエンジン直結許可マップと、駆動システムＳがそのような状態にある場合に選択される、同図（Ｂ）に示すエンジン直結禁止マップと、の間でモード選択マップを切り換える。本実施形態では、発電モータ２の発電が制限される状態にあるか否かを、バッテリ４の充電状態ＳＯＣに応じて判定し、エンジン直結禁止マップでは、エンジン直結モードが選択される領域が設定されず、運転領域の全域でシリーズハイブリッドモードが選択される。つまり、発電が制限される状態にある場合は、エンジン直結モードが選択されず、よって、走行モードの切換えも行われない。
【００７５】
そして、本実施形態では、エンジン直結モードとシリーズハイブリッドモードとの間での走行モードの切換えが、運転状態の変化によるほか（例えば、矢印ａ１〜ａ４により示す変化）、充電状態ＳＯＣの変化によっても生じ得る（例えば、矢印ｂ１により示す変化）。例えば、図１３（Ａ）に示すマップの選択中、領域Ｂにあったのが、バッテリ４の充電が進み、充電状態ＳＯＣが充分に高くなって、モード選択マップが図１３（Ｂ）に示すマップに切り換えられた場合である。
【００７６】
発電モータ２の発電が制限される状態にある場合として、上記以外に、発電モータ２が過度な熱を持った場合を例示することができる。
【００７７】
図１３（Ａ）に示すエンジン直結許可マップは、図４に示すモード選択マップと同様である。
【００７８】
図１２に示すフローチャートにおいて、図５に示すフローチャートと同様の処理を行うステップには、図５におけると同一の符号を付している。
【００７９】
Ｓ１０１で車両の運転状態を読み込んだ後、Ｓ５０１では、バッテリ４の充電状態ＳＯＣを読み込む。
【００８０】
Ｓ５０２では、読み込んだ充電状態ＳＯＣをもとに、発電モータ２の発電が制限される状態にあるか否かを判定する。具体的には、バッテリ４のそれ以上の充電に過充電のおそれがあるか否かを判定し、過充電のおそれがある場合に、発電モータ２の発電が制限される状態にあるとして、Ｓ５０３へ進み、バッテリ４がそのような高い充電状態にない場合に、発電モータ２の発電が制限される状態にないとして、Ｓ５０４へ進む。
【００８１】
本実施形態では、エンジン直結モードによる場合に、エンジン１を最もその効率がよい運転点で運転し、システムＳの要求出力に対してこの最大効率点での運転による出力に余剰分がある場合は、この余剰分の出力を発電モータ２により電力に変換し、バッテリ４の充電に充てる。よって、発電モータ２の発電が制限される状態にある場合は、図１３（Ｂ）に示すモード切換マップを選択することにより、エンジン直結モードによる運転を禁止し、シリーズハイブリッドモードを選択するのである。バッテリ４に過充電のおそれがあることから、この場合のシリーズハイブリッドモードでは、エンジン１を駆動せず、走行モータ３を、バッテリ４から供給される電力のみにより駆動する。
【００８２】
Ｓ５０３では、モード切換マップとしてエンジン直結禁止マップを選択する。
【００８３】
Ｓ５０４では、モード切換マップとしてエンジン直結許可マップを選択する。
【００８４】
そして、モード切換時にあるか否かを判定し（Ｓ１０２）、モード切換時にある場合は、Ｓ１０３へ進み、モード切換制御を実行する。他方で、モード切換時にない場合は、モード切換制御を実行せず、今回のルーチンによる制御を終了する。
【００８５】
バッテリ４の充電が進んだことによる走行モードの切換え、換言すれば、エンジン直結許可マップからエンジン直結禁止マップへの切換えに伴うモード切換えの場合のトルクの架替えは、この架替えが運転者の意図に基づくものではないことから、滑らかな切換えとすることで運転者による感知を極力抑えるため、エンジン１を０Ｎｍ運転に移行させることによるのが好ましい。
【００８６】
他方で、発電モータ２の発電が制限される状態にない場合のモード切換え、換言すれば、エンジン直結許可マップのなかでの運転状態の変化（矢印ａ１〜ａ４）によるモード切換えの場合のトルクの架替えは、発電モータ２に発電を行わせ、エンジントルクＴｒｑｅｎｇを回生トルクＴｒｑｍｇ１（＜０）により相殺することで行うことが可能である。この場合の駆動システムＳの動作は、先に比較例として図８に示したものと同様であってよい。
【００８７】
本実施形態によれば、発電モータ１の発電が制限されるシステム状態にある場合に、走行モードの切換えに際し、発電モータ２の発電を行わずにエンジン１と発電モータ２との合計トルクを減少させる方法（「発電によらないトルクの架替え」という）によりエンジン側クラッチｃ１を解放させることで、バッテリ４の過充電を回避し、駆動システムＳを構成する電気部品の保護を図ることが可能となる。
【００８８】
以上の説明では、内燃エンジン１と駆動輪７とを接続するエンジン側クラッチ（第１クラッチ）ｃ１ばかりでなく、走行モータ３と駆動輪７とを接続するモータ側クラッチ（第２クラッチ）ｃ２をも備える場合を例としたが、これに限らず、エンジン側クラッチｃ１およびモータ側クラッチｃ２のうち、エンジン側クラッチｃ１のみを備え、走行モータ３と駆動輪７とは、クラッチを介さずに直結させた構成とすることも可能である。
【００８９】
以上、本発明の実施形態について説明したが、上記実施形態は、本発明の適用例の一部を示したに過ぎず、本発明の技術的範囲を、上記実施形態の具体的構成に限定する趣旨ではない。上記実施形態に対し、請求の範囲に記載した事項の範囲内で様々な変更および修正が可能である。
【符号の説明】
【００９０】
Ｓ…ハイブリッド駆動システム
１…内燃エンジン
２…発電モータ
３…走行モータ
４…バッテリ
５…ディファレンシャルギア
６…駆動軸
７…駆動輪
ｃ１…エンジン側クラッチ
ｃ２…モータ側クラッチ
１０１…コントローラ
【図１】
2020131880.tif 000003
【図２】
2020131880.tif 000004
【図３】
2020131880.tif 000005
【図４】
2020131880.tif 000006
【図５】
2020131880.tif 000007
【図６】
2020131880.tif 000008
【図７】
2020131880.tif 000009
【図８】
2020131880.tif 000010
【図９】
2020131880.tif 000011
【図１０】
2020131880.tif 000012
【図１１】
2020131880.tif 000013
【図１２】
2020131880.tif 000014
【図１３】
2020131880.tif 000015